(57)【特許請求の範囲】
【請求項１】
印刷機（１）における胴位置調節方法において、
第１のステップでは、圧胴（８）を、該圧胴（８）の溝（１７）が前記印刷機（１）の塗布胴（９）を向く回転位置へ回転させ、第２のステップでは、前記塗布胴（９）を、前記溝（１７）の外の第１の胴位置（９ａ，９ｂ）から前記溝（１７）内を通過して前記溝（１７）の外の第２の胴位置（９ｄ）へ揺動させることを特徴とする胴位置調節方法。
【請求項２】
前記第２のステップでは、前記塗布胴（９）の前記揺動を供給ローラ（１３）の回転軸（３６）と同軸に行う、請求項１記載の方法。
【請求項３】
印刷機（１）における胴位置調節方法において、
第１のステップでは、塗布胴（９）を、該塗布胴（９）の溝（３２）が前記印刷機（１）の供給ローラ（１３）を向く回転位置へ回転させ、第２のステップでは、前記塗布胴（９）を前記供給ローラ（１３）の方へ移動させ、この際に前記供給ローラ（１３）は前記溝（３２）内に入り込むことを特徴とする胴位置調節方法。
【請求項４】
溝（１７）と、前記圧胴（８）上を送られる被印刷体（６）にインキ着けまたはニス塗布を施す塗布胴（９）とを備えた圧胴（８）を有する、請求項１または２記載の方法を実施する印刷機（１）において、
前記塗布胴（９）は、該塗布胴（９）を前記溝（１７）内へ入れ、該溝（１７）から再び出し前記圧胴（８）から隔った位置（Ｄ）へ移動させる支持部材（１６）に支持されていることを特徴とする印刷機。
【請求項５】
前記支持部材（１６）は、前記塗布胴（９）を揺動させる揺動支持部材（１６）として、前記塗布胴 （９）にインキ供給またはニス供給するために配置された供給ローラ（１３）の回転軸（３６）と同軸に構成されている、請求項４記載の印刷機。
【請求項６】
前記支持部材（１６）は、前記圧胴（８）による前記被印刷体（６）の搬送の際に同じ観察方向にみて前記圧胴（８）の回転方向（２６）とは反対の回転方向（２５）に、前記塗布胴（９）を前記揺動支持部材（１６）のまわりに前記位置（Ｄ）へ揺動させる揺動支持部材（１６）として構成されている、請求項４記載の印刷機。
【請求項７】
被印刷体（６）上にインキ着けまたはニス塗布を施す塗布胴（９）と、該塗布胴 （９）にインキ供給またはニス供給を行う供給ローラ （１３）とを有する、請求項３に記載の胴位置調節方法を実施する印刷機において、
前記塗布胴（９）は、該塗布胴（９）を前記供給ローラ（１３）の方向に移動させる第１の支持部材（２７）に、また、前記供給ローラ（１３）は、前記塗布胴 （９）の前記移動の際に該供給ローラ（１３）を定位置に保持する第２の支持部材（３０）に支持されていることを特徴とする印刷機。
【請求項８】
前記塗布胴には、該塗布胴（９）の溝（３２）が前記供給ローラ（１３）を向く回転位置で前記塗布胴（９）を強く保持する安全装置（３１）が付属している、請求項７記載の印刷機。
【請求項９】
前記第１の支持部材（２７）が直線状案内部材（２７）として構成されている、請求項７記載の印刷機。
【発明の詳細な説明】
【０００１】
【発明の属する技術分野】
本発明は、請求項１および３の前提項に記載された、印刷機における胴位置調節方法と、請求項４および７の前提項に記載された、本方法を実施するのに適した印刷機に関する。
【０００２】
【従来の技術】
列状構造の最近の枚葉紙オフセット輪転印刷機は、複数のオフセット印刷ユニットと、これらのオフセット印刷ユニットの後方に配置された、大抵は１つのニス引きユニットとを備えており、これによって多くの様々な印刷ジョブに有効に対応できるようになっている。相当数の印刷ジョブは印刷ユニット内での被印刷体枚葉紙の印刷を必要とするが、ニス引きユニット内での枚葉紙のニス引きは必要とせず、それゆえ、このニス塗布胴は印刷ジョブのために圧胴から退避させられる。塗布胴を印刷開始位置から印刷停止位置へこのように移動させる場合、これらの胴によって形成される印刷用間隙はわずかに開いている。このわずかに開かれた印刷用間隙を通して枚葉紙を送る際、圧胴上で塗布胴のそばを通過して送られる枚葉紙がこの塗布胴にぶつかり、これによって、印刷ユニット内で枚葉紙上にインキ着けされたばかりのインキがこの塗布胴で汚される、というおそれが生じる。
【０００３】
したがって、枚葉紙が塗布胴にぶつかるおそれがなくなる程度に圧胴と塗布胴と間の印刷用間隙を大きくすることは望ましいことである。しかし、この望ましい状態に対して、この塗布胴の直ぐ近くには、例えば圧胴、この塗布胴にインキ供給またはニス供給を行う供給ローラ、枚葉紙案内用送風装置、塗布胴を清掃する清掃装置、および、塗布胴によって塗布されるニスを収容するニス容器などのような、塗布胴が広い空間で移動することを妨げる様々な構成部品が配置されているという好ましくない状況が伴うことが少なくない。したがって、通常はその印刷開始位置から印刷停止位置への短い距離にわたって行われる塗布胴の移動のみが可能であり、この結果、塗布胴と圧胴との間には十分に広い間隙は生じない。
【０００４】
この問題に対処するために、また、非動作状態の塗布胴に枚葉紙がぶつかるのを避けるために、様々な方策が考えられ、そのいくつかについて以下に簡単に説明する。
【０００５】
第１の方策は、塗布胴および供給ローラの中心が同時に移動して圧胴から離れ、この結果、印刷用間隙が十分な大きさに拡大されるということである。しかし、この同時移動の間、塗布胴が供給ローラに常に当たった状態を維持するために、塗布胴を供給ローラに連結するには、比較的コストのかかる位置調節用支持部材が必要であろう。
【０００６】
第２の方策は、塗布胴が十分に大きく移動することを妨げる、例えばニス容器、清掃装置、送風装置のような構成部品を塗布胴から引き離し、それによって、塗布胴が、この引き離しによって空いた空き空間内で、枚葉紙を送る際の圧胴の回転方向に相応する回転方向に供給ローラと同軸に揺動させることができることである。しかし、いずれの印刷機でも、前述の構成部品を引き離すための十分な空き空間は存在せず、また、これらの構成部品を引き離すために必要な支持部材は比較的高コストである。
【０００７】
第３の方策は、実際のインライン式作業工程にとって不要な塗布胴をニス引きユニットから取り外し、これによって、オフセット印刷ユニット内で印刷が行われた被印刷体を支障なくニス引きユニットを通過できるようにすることである。しかし、塗布胴のない印刷機を選択して運転することは、特定の構造的条件を前提とする。塗布胴を回転駆動する、塗布胴と同軸に配置された歯車が、塗布胴が印刷機から取り外される場合に印刷機の歯車列内に中間歯車として組み込まれたままにするためには、後で塗布胴を印刷機に再び取付ける際に、塗布胴の印刷機内にとどまっている歯車との連結を解除し、この中間歯車に塗布胴を連結する連結装置が必要である。例えば、軸ジャーナルの切り離しと連結のための連結装置を、塗布胴の駆動端の軸ジャーナルに配置してもよい。この軸ジャーナルを切り離した後、軸ジャーナルのジャーナル部分は、このジャーナル部分上にある歯車と、前述のジャーナル部分が差し込まれる、塗布胴を回転させるローラ支持部材と共に印刷機内に残り、一方で、塗布胴は他のジャーナル部分と共に印刷機から取り外すことができる。両ジャーナル部分のそれぞれには、連結装置の構成部分の一方がある。塗布胴の操作側の端部に配置された、塗布胴の軸ジャーナルの２つのジャーナル部分を互いに連結し、互いに連結解除するために、別の連結装置が必要であろう。したがって、塗布胴を取り外す際に、操作側の軸ジャーナルのジャーナル部分も、塗布胴の操作側のころがり軸受と共に印刷機内に残すことができる。
【０００８】
したがって、塗布胴の軸ジャーナルには、ドイツ特許第3407681号に記載された番号印刷軸の軸ジャーナルのような、類似の構造の連結装置が必要であると思われる。この特許公報に記載された連結装置は、半シュルとクランプジョーと締付けボルト/バヨネット式ロック装置とを有しており、前述の特許公報の図４に示されている。
【０００９】
【発明が解決しようとする課題】
塗布胴用のこれらの連結装置から生じる構造上の高いコストは場合によっては減らすことが可能であるが、塗布胴の取り外しの際にその非常に重い重さによって、前述の特許明細書で参照符号20を有する揺動装置に相応して構成され、したがって構造的に高コストの揺動装置が必要になる。
【００１０】
圧胴によって塗布胴を通過して送られる枚葉紙が塗布胴にぶつかるのを避けるために、前に説明した３つの方策の他に、ドイツ特許第19719624号に記載された第４の方策がある。この最後に挙げた特許明細書には、圧胴から退避させられる塗布胴の胴溝を、この胴溝が圧胴の方を向くように調整し、これによってこれらの胴の間に拡大された空間を得る胴位置調節方法が記載されている。この胴溝内には、枚葉紙を圧胴に押圧するために、さらに枚葉紙案内部材が配置されている。枚葉紙案内部材を胴溝内に組み込むために、胴溝内に配置されたゴムブランケット張り手段が非常に多くの構造的空間を必要とするので、通常は自由に使用できない十分な空き空間が必要である。
【００１１】
したがって、本発明の目的は、塗布胴を圧胴に対し低コストで十分に大きな距離で位置調節できる胴位置調節方法と、本方法を実施可能で、塗布胴の胴溝内に枚葉紙案内部材を必要としない印刷機を提供することにある。
【００１２】
【課題を解決するための手段】
この提案された目的は、請求項１および３に記載の特徴を有する方法によって、また、請求項４または請求項７記載の特徴を有する印刷機によって達成される。
【００１３】
本発明による、印刷機における胴位置調節方法では、第１のステップでは、圧胴を、該圧胴の溝が印刷機の塗布胴を向く回転位置へ回転させ、第２のステップでは、塗布胴を溝の外の第１の胴位置から溝内を通過しての外の第２の胴位置へ揺動させる。
【００１４】
したがって、塗布胴のこの移動によって、塗布胴をその出発位置から、塗布胴の出発位置と軸平行な新しい位置へ位置調節することができる。
【００１５】
本発明による他の、印刷機における胴位置調節方法では、第１のステップでは、塗布胴を、該塗布胴の溝が印刷機の供給ローラを向く回転位置へ回転させ、第２のステップでは、塗布胴を供給ローラの方へ移動させ、この際に供給ローラは前記溝内に入り込む。したがって、塗布胴のこの移動によって、塗布胴はその出発位置から、この塗布胴の出発位置と軸平行な新しい位置へ移動することができる。
【００１７】
本発明による方法によって得られる利点は、塗布胴と圧胴の間に、印刷されたばかりのまたはニス引きされたばかりの被印刷体枚葉紙が圧胴によって間隙を通って送られる間に枚葉紙が塗布胴にぶつかり、これによって汚れるおそれがない程度の大きさの間隙を低コストで設定できることである。
【００１８】
胴溝を有する圧胴と、この圧胴上で搬送される被印刷体上にインキ着けまたはニス塗布する塗布胴とを有する、本方法を実施するために特に有利で、構造的に低コストな、本発明による第１の印刷機は、塗布胴を胴溝内を通過して圧胴に対して隔った位置へ移動させることができる、塗布胴の支持部材を特徴としている。
【００１９】
塗布胴は以下に述べる順番で、したがって、支持部材によって出発位置から胴溝内へ入り胴溝内を通過し胴溝を出て隔った位置へ移動させられ、および、これと反対の方向にこの隔った位置からから胴溝内へ入り胴溝内を通過し出発位置へ逆に移動させることができる。この印刷機は、塗布胴が溝のない構造である場合に有利である。例えば、塗布胴の胴中心部には、印刷用またはニス引き用のゴムブランケットまたは版ケースが差し込んでもよい。しかし、本発明による第１の印刷機は、塗布胴が、ゴムブランケットまたは印刷用の版またはニス引き版を保持するたとえばクランプ装置および張り装置のように、塗布胴の環状周囲曲線まで（理想的には胴溝の領域で)ほとんど達する組み込み部品によって塞がれる胴溝を有する構造である場合にも有利である。例えば、塗布胴の胴溝から突出する組み込み部品またはケースは、塗布胴がこの移動を行う際に圧胴の胴溝が通過する、塗布胴の一部である。
【００２０】
被印刷体上にインキ着けまたはニス塗布を行う塗布胴と、この塗布胴にインキ供給またはニス供給を行う供給ローラとを有する、本方法の実施に同様に特に有利、かつ構造的に低コストな、本発明による第２の印刷機は、塗布胴の移動の際に塗布胴を供給ローラの方向に案内する塗布胴に付属している第１の支持部材と、塗布胴の移動の際に供給ローラを供給ローラの方向に定位置に固定するため、供給ローラに付属している第２の支持部材を特徴としている。
【００２１】
この第２の印刷機は、胴溝内を通過する塗布胴の運動が第１の印刷機とは異なって不可能で、被印刷体枚葉紙を保持する例えば鉗子形くわえづめおよびくわえづめ台のような組み込み部品によって圧胴の胴溝が非常に狭くなった場合に有利である。この第２の印刷機の場合、塗布胴の胴溝内に、上記の胴溝内に供給ローラを入り込ませるために、ゴムブランケットまたは版もしくはニス引き版を塗布胴に保持するクランプ装置と張り装置の間に十分な空き空間が存在することができる。したがて、第２の印刷機の供給ローラは通常のように溝のない構造とすることができる。
【００２２】
【発明の実施の形態】
次に、本発明の実施の形態について図面を参照して説明する。
【００２３】
図１には、枚葉紙状の被印刷体6を印刷する少なくとも１つのオフセット印刷ユニット2〜5を有する輪転印刷機1が示されている。印刷機1には、被印刷体6の搬送方向にこの少なくとも１つの印刷ユニット2〜5の後方に配置されたニス引きユニット7が付属しており、このニス引きユニット7にはニスの代わりにインキも充填できることはもちろんである。印刷ユニット2は、大きさが２倍の圧胴8と、圧胴8との間の印刷用間隙の間を通り抜けて走行する被印刷体6上にニス塗布を行う塗布胴9とを備えている。図2,3に示すように、ニス10は収容容器11内にあり、また、収容容器11内に配置された汲み出しローラ12によってこの収容容器11から汲み出される。回転軸36のまわりを回転可能な塗布胴９に張られたスポット状ニス引き用フレキソ印刷用版上または塗布胴９に張られた、全面にニス引きを行うための用ゴムブランケット上にニスを移し、塗布胴と共にニス薄膜を生じる供給ローラ13は、汲み出しローラ12および塗布胴９ところがり接触した状態にある。
【００２４】
供給ローラ13は、右から左へ印刷機1を通る、図1〜3で示された被印刷体搬送方向に関して塗布胴９の第１の四分円の領域で塗布胴９に接しており、また、塗布胴９は圧胴8の第１の四分円の領域で圧胴8に接している。
【００２５】
塗布胴９のそばには、塗布胴９を洗浄する清掃装置14、および、被印刷体6を胴8に押圧する枚葉紙案内装置15が配置されている。枚葉紙案内装置15は、胴8,9によって形成された印刷用間隙の、被印刷体を取入れる側における三角状領域内に達し、圧胴8に向けられたノズルを備える送風装置として構成されている。清掃装置14は収容容器11の下方に配置されており、塗布胴９に押圧可能なベルト状の清掃布を巻き取りローラ上に備えている。
【００２６】
塗布胴９は、印刷開始位置および印刷停止位置へ動く詳細に図示しない装置によって、圧胴8上に置かれた被印刷体6に当たる状態で印刷開始位置9aへ、また、圧胴8からわずかな距離Bだけ離れた印刷停止位置9bへ変位可能である。圧胴8は外周上に、被印刷体6を把持するくわえづめ19が内部に配置され、8,9の軸と平行な方向に塗布胴９の膨出部の長さにわたって延びる、少なくとも１つの胴溝17,18を備えている。
【００２７】
ニス引きユニット7は図2に示された実施形態にしたがって、または他の構成として図3に示された実施形態にしたがって構成してもよく、この場合、図1〜3の前述の説明は、これらの２つの実施形態について同様の関係を有しており、また、これらの実施形態についての以下の説明は個別に行うものとする。
【００２８】
先ず、図２に示された実施形態を説明する。
【００２９】
この実施形態の場合、塗布胴９は、支持部材16によって印刷開始位置9aから、胴８の胴溝17内を通過して案内される塗布胴９の移動経路9cに沿って、胴8から距離Dだけ離れた位置9dへ移動可能である。距離B，Dは胴8,9の回転支軸を通って延びる中心線の方向に測定される。支持部材16は、それぞれ１つの揺動レバー20と、塗布胴９の各端におけるそれぞれ１つの回転継手21とを有している。揺動レバー20は印刷機1のフレーム22に定位置に固定された回転継手23と同軸に配置された回転継手21のまわりを揺動可能であり、供給ローラ13はこの回転継手23のまわりを回転可能であり、また、回転軸36の位置はこの回転継手23によって決定される。塗布胴９は揺動レバー20に回転支持され、また、回転継手21のまわりに揺動レバー20が揺動する際に周囲側が供給ローラ13に常に当てられた状態となっている。
【００３０】
図２に示された実施形態の動作は以下の通りである。
【００３１】
先ず、胴8は胴溝17および塗布胴９が相対するように調整される。胴8の調整は、印刷機1の電動モータによって、胴8をこの電動モータに接続する歯車伝動装置を介して行われる。胴8が、胴溝17が塗布胴９に向けられる回転位置に到達した後、電動モータは停止させられる。この後、胴8は電動モータによって調節された回転角位置をこの歯車伝動装置内の摩擦に基づいて保持する。
【００３２】
胴８のこの調整に続いて、塗布胴９は印刷開始位置9aでもよいが印刷停止位置9bが好ましい出発位置から、図2における揺動レバー20によって移動経路9cに沿って時計回り方向に装置14,15から離れるように回転継手21のまわりを揺動させられる。この揺動は手で行ってもよく、または、揺動レバー20に連結された調節駆動装置によって行われることが好ましい。この揺動の間、塗布胴９の最も外側の部分が一時的に圧胴8の周囲円曲線よりも下に下がり、胴溝17内に入り込む。
【００３３】
塗布胴９が移動経路9cに沿ってさらに揺動する際、塗布胴９は胴溝17内を再び通過し、そして塗布胴９は塗布胴９の揺動運動が終る隔った位置9dに到達する。塗布胴９のその出発位置9aまたは9bから隔った位置9dへの揺動は、胴8による被印刷体6の搬送の際の胴8の回転方向26と反対の回転方向25に行われる。隔った位置9dでは、胴8,9の周囲円曲線の間の距離Dは塗布胴９の印刷停止位置9bの場合の数倍となっている。塗布胴９は安全装置24によって隔った位置9dでしっかりと保持することができ、例えばロックすることができる。
【００３４】
今や、くわえづめ3で保持された被印刷体6は、塗布胴９にこの被印刷体6が当たって損傷する恐れもなく、モータによって回転させられて再び駆動される胴8から、胴8と9の間の距離Dだけ大きくされた間隙を通って搬送することができる。印刷機1の印刷ユニット2〜5内で被印刷体6に印刷を行うことが必要な場合、また、この後、非作動状態のニス引きユニット7を通ってその内部で被印刷体6にニス引きを施さずに搬送することが必要な場合、この運転方法が選択される。
【００３５】
塗布胴９がニス引きを行わないこの印刷ジョブに続いて行われる印刷ジョブの処理に関与する場合、塗布胴９の安全装置を解除することができ、この結果、この安全装置は反時計回りに回転継手21のまわりを移動経路9cに沿ってその出発位置に戻るように揺動することができる。この出発位置は、印刷開始位置9aまたは印刷停止位置9bであってもよい。塗布胴９のこの逆方向の揺動の際、塗布胴９は一時的に胴8内に入り込む
次に、図３に示した他の実施形態を説明する。
【００３６】
機能的および構造的に同じ構成部品については図２および図３では同じ参照符号を用いるものとする。
【００３７】
この実施形態の場合、塗布胴９は印刷開始位置90aから、または好ましくは印刷停止位置90bから支持部材27によって直線状の移動経路90cに沿って隔った位置90dにローラ13上へ移動させることができる。支持部材27は塗布胴９のこの移動を案内するために印刷機１のフレーム22に配置されている。支持部材27は直線状案内部材として構成され、また、ニス引きの際に塗布胴９がまわりを回転する回転継手29が胴8とローラ13との間を往復してスライド移動できるようにしている。移動経路90cは、胴8またはローラ13の中心に向かう、胴8またはローラ13の半径方向線の延長線に対応してもよい。
【００３８】
ローラ13は、ニス引きの際にローラ13がまわりを回転する回転継手として構成されフレーム22に固定された支持部材30内に支持されており、この結果、塗布胴９のこの移動の際、ローラ13はその定位置を変えずに維持する。
【００３９】
安全装置31は、塗布胴９の周囲側の胴溝32が胴8から遠ざかってローラ13に向けられる回転位置に塗布胴９を保持する役目をする。安全装置31は支持部材27に備えられており、ロック装置またはクランプ装置として構成してもよい。この図示された例では、安全装置31は、塗布胴９における孔と、この孔内に差込可能で支持部材27にスライド可能に配置されたピンからなっている。
【００４０】
胴溝32内には例えばゴムブランケットまたは版もしくはニス引き版のような胴ばり35を保持するクランプ装置33,34が塗布胴９に配置されている。胴溝32は胴8およびローラ13と軸平行な方向にローラ13の膨出部の長さにわたって延びている。
【００４１】
図3に示された実施形態の作用は次の通りである。
【００４２】
先ず、塗布胴９の回転が停止させられ、この結果、胴溝32は供給胴とも称されることがあるローラ13に向けられる。この後、塗布胴９は安全装置31によってこの回転位置で確実に固定される。次に、塗布胴９はその出発位置90aまたは好ましくは出発位置90bからローラ13の方向に移動経路90cに沿って隔った位置90dへ移動させられる。隔った位置90dでは、胴8,9間における周囲側の距離Dは、塗布胴９が印刷停止位置90bにある場合の周囲側の距離Bの数倍である。さらに、塗布胴９が隔った位置90dへ移動させられた場合、ローラ13は一部が塗布胴９の周囲円曲線の下方(理想的には胴溝32の領域で)かつクランプ装置33,34間の胴溝32内にある。塗布胴９がローラ13の方向に移動することによって、胴溝32はローラ１３によって覆われ、したがって胴溝32内に入り込む。
【００４３】
塗布胴９が隔った位置90dにある場合、印刷のためのインライン印刷プロセスの場合に印刷ユニット2〜5だけが用いられニス引きユニット7が用いられないときに、印刷ユニット2〜5内で既に印刷が行われた、回転する胴8によって塗布胴９を通過して運ばれる枚葉紙状の被印刷体6が、この被印刷体6の曲げ剛性および遠心力に基づいて胴8から離れる後縁で塗布胴９にぶつかって損傷するようなおそれはなくなる。胴8によって被印刷体6を通過させて送る胴8と9の間の間隙は十分な距離Dに相当している。
【００４４】
ニス引きのない印刷ジョブに続く、印刷ユニット2〜5における被印刷体6の印刷の他にニス引きユニット7における被印刷体6のニス引きをも必要とする印刷ジョブの場合、塗布胴９を再びニス塗布に利用できるようにするために、塗布胴９を支持部材27のみによって移動経路90cに沿ってその出発位置90aまたは出発位置90bへ戻し、安全装置31を解除することが必要であり、この結果、塗布胴９は支持部材30に相応する回転継手のまわりに再び回転可能である。
【図面の簡単な説明】
【図１】 複数のオフセット印刷ユニットと、枚葉紙搬送方向にこれらのオフセット印刷ユニットの後方に配置されたニス引きユニットとを有する枚葉紙輪転印刷機を示す図である。
【図２】図１のニス引きユニットの第１の実施形態による構成を示す図である。
【図３】図１のニス引きユニットの第２の実施形態による構成を示す図である。
【符号の説明】
1      輪転印刷機
2〜5   オフセット印刷ユニット
6      被印刷体
7      ニス引きユニット
8      圧胴
9      塗布胴
9a     印刷開始位置
9b     印刷停止位置
9c     移動経路
9d     隔った位置
10     ニス
11     収容容器
12     汲み出しローラ
13     供給ローラ
14     清掃装置
15     枚葉紙案内装置
16,27,30   支持部材
17,18  胴溝
19     くわえづめ
20     揺動レバー
21     回転継手
22     フレーム
23     回転継手
24     安全装置
30     支持部材
31     安全装置
32     胴溝
33,34  クランプ装置
35     胴ばり
36     回転軸
B,D    距離
【図１】
0004647775.tif 000002
【図２】
0004647775.tif 000003
【図３】
0004647775.tif 000004